(57)【要約】      （修正有）【課題】使い勝手が良く、脱着可能である焼きプレート用の分離型受けプレートを提供する。【解決手段】焼きプレートの下面を支え、中心部にはその焼きプレートの下面に火炎が当たるようにホールが形成されている支え材と、支え材の一方の側に一端が互いに離れるように結合され、焼きプレートの側面に見合う分が前方に突出する１組の固定部と、固定部の他端から上方に延設するが、焼きプレートの側面に緊密に当接しながら、その焼きプレートの段差の上面よりも高く突出する１組の当接保持部と、１組の当接保持部の上端部をつなぐ取っ手部とよりなり、互いに対応するように形成される１組の取っ手部材と、を備える。【選択図】図２
0003129816.tif 000002
【実用新案登録請求の範囲】
【請求項１】
焼きプレートの下面を支え、中心部にはその焼きプレートの下面に火炎が当たるようにホールが形成されている支え材と;
前記支え材の一方の側に一端が互いに離れるように結合され、前記焼きプレートの側面に見合う分が前方に突出する１組の固定部と、前記固定部の他端から上方に延設するが、前記焼きプレートの側面に緊密に当接しながら、その焼きプレートの段差の上面よりも高く突出する１組の当接保持部と、前記１組の当接保持部の上端部をつなぐ取っ手部とよりなり、互いに対応するように形成される１組の取っ手部材と；を備えることを特徴とする焼きプレート用の分離型受けプレート。
【請求項２】
前記取っ手部の外周面は、
絶縁体としての合成樹脂材により包まれていることを特徴とする請求項１に記載の焼きプレート用の分離型受けプレート。
【請求項３】
前記当接保持部は、
前記固定部の他端から上方に延設するが、前記焼きプレートの下面の角部とその焼きプレートの側面及び段差の上面が係合可能な係合部が形成されるようにその段差の上面から後方に折り曲げられてその上面に当接しながらさらに上方に突出することを特徴とする請求項１または２に記載の焼きプレート用の分離型受けプレート。
【考案の詳細な説明】
【技術分野】
【０００１】
この考案は焼きプレート用の分離型受けプレートに係り、さらに詳しくは、重い焼きプレート及び火にかけられて熱くなった焼きプレートの移動が簡便になることから、レストランや家庭での使い勝手が良く、脱着可能である他、焼きプレートの交替及び洗浄が容易な焼きプレート用の分離型受けプレートに関する。
【背景技術】
【０００２】
近年、現代人の生活が贅沢になるに伴い、肉類の消費が増えてきており、このような肉類を調理するために、一般家庭やレストランでは種々の調理具を用いている。
【０００３】
この種の調理具のうち汎用されるものとしては、ステンレス、アルミニウムをはじめとする金属製の焼きプレートや、上記の金属にコート層を形成した焼きプレートまたは炭（カーボン）製の焼きプレートなどがある。
【０００４】
かかる焼きプレートはレストランや家庭などにおいて肉を焼くときに主として用いられ、炭火やガスバーナーを用いる焼き機の上部に載せた状態で焼きプレートが火により温められると、焼きプレートの上に肉を載せて焼き食べるようになっている。
【０００５】
図１に示すように、レストランでは、炭火やガスバーナーを用いる焼き機１がテーブル３に設けられている挿入溝４に挿入されている。
【０００６】
この挿入溝４の上部には係止溝５が形成されて前記焼きプレート７が置かれる。
【０００７】
しかしながら、このような焼きプレート７を係止溝５に載せるには、その焼きプレート７を直接的に手で掴んで載せることが余儀なくされるが、この種の焼きプレート７には取っ手が形成されていないだけではなく、取っ手を付けることも困難なため、取っ手なしで用いることがほとんどであり、不便であった。
【０００８】
火にかけていない焼きプレート７は熱くないため、重くても前記係止溝５に載せることはできるが、火にかけた焼きプレート７の場合には、つまみなどがないため、その係止溝５から外す作業がかなりの手数がかかっていた。
【０００９】
また、火にかけていない焼きプレート７の場合、肉を焼く最中に肉が焼きプレート７にくっつき、焼きプレート７の上面がくっついた肉により焦げてしまうために、新しい焼きプレート７に頻繁に交替する必要があった。しかしながら、その焼きプレート７があまりにも熱過ぎるため、新しい焼きプレート７に交替することも極めて大変であるという不都合があった。
【考案の開示】
【考案が解決しようとする課題】
【００１０】
この考案は上記の諸般問題点を解決するために提案されたものであり、その目的は、重い焼きプレート及び火にかけられて熱くなった焼きプレートの移動が簡便になることから、レストランや家庭での使い勝手が良く、脱着可能である他、焼きプレートの交替及び洗浄が容易な焼きプレート用の分離型受けプレートを提供することにある。
【課題を解決するための手段】
【００１１】
前記の目的を達成するために、この考案による焼きプレート用の分離型受けプレートは、焼きプレートの下面を支え、中心部にはその焼きプレートの下面に火炎が当たるようにホールが形成されている支え材と；前記支え材の一方の側に一端が互いに離れるように結合され、前記焼きプレートの側面に見合う分が前方に突出する１組の固定部と、前記固定部の他端から上方に延設するが、前記焼きプレートの側面に緊密に当接しながら、その焼きプレートの段差の上面よりも高く突出する１組の当接保持部と、前記１組の当接保持部の上端部をつなぐ取っ手部とよりなり、互いに対応するように形成される１組の取っ手部材と；を備えることを特徴とする。
【００１２】
また、この考案による焼きプレート用の分離型受けプレートにおいて、前記取っ手部の外周面は、絶縁体としての合成樹脂材により包まれていることを特徴とする。
【００１３】
さらに、焼きプレート用の分離型受けプレートにおいて、前記当接保持部は、前記固定部の他端から上方に延設するが、前記焼きプレートの下面の角部とその焼きプレートの側面及び段差の上面が係合可能な係合部が形成されるようにその段差の上面から後方に折り曲げられてその上面に当接しながら、さらに上方に突出することを特徴とする。
【考案の効果】
【００１４】
この考案の実施例による焼きプレート用の分離型受けプレートは、重い焼きプレート及び火にかけられて熱くなった焼きプレートの移動が簡便になることから、レストランや家庭での使い勝手が良く、脱着可能である他、焼きプレートの交替及び洗浄が容易であるという効果を奏する。
【考案を実施するための最良の形態】
【００１５】
以下、この考案が属する技術分野において通常の知識を持った者がこの考案を容易に実施可能に、この考案の最も好適な実施例を添付図面に基づいて詳細に説明する。この考案の目的、作用、効果をはじめとするその他の目的、特徴点、そして動作上の利点が好適な実施例の説明によって一層明らかになる。
【００１６】
図２から図７は、この考案の実施例による焼きプレート用の分離型受けプレートを示しており、図２は、この考案の実施例による焼きプレート用の分離型受けプレートの斜視図、図３は、図１に示す装置に焼きプレートが結合された状態を示す斜視図、図４は、この考案の他の実施例による焼きプレート用の分離型受けプレートの斜視図、図５は、図４に示す装置から焼きプレートが外されている状態を示す斜視図、図６は、図４に示す装置に焼きプレートが結合された状態を示す斜視図、図７は、図４に示す装置の使用状態図である。
【００１７】
これらの図面に示すように、この考案の実施例による焼きプレート用の分離型受けプレート１００は、支え材１１０と取っ手部材１３０を備えている。
【００１８】
前記支え材１１０は、焼きプレート１５０の下面を支えるものであり、中心部には焼きプレート１５０の下面に火炎が当たるように溝が形成されている。
【００１９】
前記支え材１１０は、円形または四角形状をはじめとして、焼きプレート１５０の形状に応じて種々の形状に変更可能である。
【００２０】
前記取っ手部材１３０は、前記支え材１１０の両側に取り付けられ、前記焼きプレート１５０の側面に緊密に当接してその焼きプレート１５０が離脱することを防ぐと共に、焼きプレート１５０の移動時に手で掴む部分であって、前記支え材１１０の一方の側に一端が互いに離れるように結合され、前記焼きプレート１５０の側面に見合う分だけ他端が突出する１組の固定部１３１と、前記固定部１３１の他端から上方に延設するが、前記焼きプレート１５０の側面に緊密に当接されながら、その焼きプレート１５０の段差１５１の上面よりも高く突出する１組の当接保持部１３５と、前記１組の当接保持部１３５の上端部をつなぐ取っ手部１３７と、により構成される。
【００２１】
前記取っ手部１３７は、前記焼きプレート１５０を移動させるためにユーザーが手を使って直接的に把持する部分であり、手への熱伝導率を最小化するために、取っ手部１３７の外周面は絶縁体の合成樹脂材により包まれる。
【００２２】
前記焼きプレート１５０が支え材１１０に置かれると、焼きプレート１５０の下面の角部はその焼きプレート１５０の側面に見合う分だけ突出する固定部１３１により保持され、前記固定部１３１から上方に延設する当接保持部１３５により前記焼きプレート１５０の側面が緊密に当接保持され、これにより、その焼きプレート１５０は安定して移動される。
【００２３】
このような前記当接保持部１３５は、前記焼きプレート１５０の側面を緊密に当接保持可能に内方に向けて斜めに突出する。
【００２４】
前記当接保持部１３５は、前記固定部１３１の他端から上方に延設するが、その段差１５１の上面から後方に向けて折り曲げられ、その上面に当接しながらさらに上方に突出して、前記焼きプレート１５０の下面の角部とその焼きプレート１５０の側面及び段差１５１の上面が係合される係合部１３６が形成され、これにより、前記焼きプレート１５０はさらに安定して焼きプレート用の分離型受けプレート１００に結合される。
【００２５】
前記当接保持部１３５は、内方から外方へと外力が加わると、弾力的に外方に押し出され、その外力が消滅すると、元の状態に戻る。
【００２６】
このような構成を有するこの考案の実施例による焼きプレート用の分離型受けプレート１３５は、下記のようにして用いられる。
【００２７】
炭火やガスバーナーを用いる焼き機２１０が挿入されているテーブル２００の挿入溝２２０に形成されている係止溝２２５に焼きプレート１５０を下ろすために前記焼きプレート１５０を焼きプレート用の分離型受けプレート１００に結合させる。
【００２８】
前記焼きプレート用の分離型受けプレート１００に前記焼きプレート１５０が結合されると、その焼きプレート１５０の下面はその焼きプレート用の分離型受けプレート１００の支え材１１０により安定して保持され、また、焼きプレート用の分離型受けプレート１００の当接保持部１３５に形成されている係合部１３６に焼きプレート１５０の両側面が安定して係合され、これにより、その焼きプレート１５０は焼きプレート用の分離型受けプレート１００により安定して移動される。
【００２９】
前記焼きプレート用の分離型受けプレート１００に結合されている焼きプレート１５０を前記係止溝２２５に係止した後、炭火やガス火により焼きプレート１５０が温められても、前記焼きプレート用の分離型受けプレート１００の取っ手部１３７の外周面に包まれている合成樹脂材により熱伝導率が下がることから、熱くなった焼きプレート１５０をさらに安定して移動することが可能になる。
【００３０】
また、焼きプレート用の分離型受けプレート１００が焼きプレート１５０に脱着可能となっているため、焼きプレート１５０が交替し易く、しかも、焼きプレート１５０のみを外して洗浄を行うことが可能になるという効果がある。
【図面の簡単な説明】
【００３１】
【図１】従来の焼きプレートの使用状態図。
【図２】この考案の実施例による焼きプレート用の分離型受けプレートの斜視図。
【図３】図１に示す装置に焼きプレートが結合された状態を示す斜視図。
【図４】この考案の他の実施例による焼きプレート用の分離型受けプレートの斜視図。
【図５】図４に示す装置から焼きプレートが外されている状態を示す斜視図。
【図６】図４に示す装置に焼きプレートが結合された状態を示す斜視図。
【図７】図４に示す装置の使用状態図。
【符号の説明】
【００３２】
１００     分離型受けプレート
１１０     支え材 
１３０     取っ手部材 
【図１】
0003129816.tif 000003
【図２】
0003129816.tif 000004
【図３】
0003129816.tif 000005
【図５】
0003129816.tif 000006
【図６】
0003129816.tif 000007
【図７】
0003129816.tif 000008
【図４】
0003129816.tif 000009